(57)【要約】【課題】ケーキ箱に対する取付け及び取外しが簡単でリサイクルに好適であり、ケーキ箱に取り付けた状態で複数重ねてもケーキ箱が嵩張ることなく、ケーキから出る水分などに対しても十分な固定強度を保持することができ、しかも簡単かつ安価に構成することができるケーキ止め具を提供する。【解決手段】ケーキ箱の底板に固定され、上方に突起してケーキを固定する止め部を有するケーキ止め具であって、板状の基部１１と、基部１１から下方に向けて突設される突部（係止ピン１２）と、基部１１から折り曲げ可能に下方に向けて延設されるとともに係止ピン１２に係合可能な挟持板１３と、基部１１から側方へ突出する係止突部１５と、基部１１から上方へ折り曲げ可能に側方へ延設されるとともに係止突部１５に係合可能な片部（第二片部１６ｂ）を有する止め板１６と、を備える構成とし、これを合成樹脂などの可撓性を有する素材により構成する。【選択図】図１３
2006160281.tif 000002
【特許請求の範囲】
【請求項１】
ケーキ箱の底板に固定され、上方に突起してケーキを固定する止め部を有するケーキ止め具であって、
板状の基部と、前記基部から下方に向けて突設される突部と、前記基部から折り曲げ可能に下方に向けて延設されるとともに前記突部に係合可能な挟持板と、前記基部から側方へ突出する係止突部と、前記基部から上方へ折り曲げ可能に側方へ延設されるとともに前記係止突部に係合可能な片部を有する止め板と、を備えることを特徴とするケーキ止め具。
【請求項２】
前記底板に固定されるとともに、該底板にケーキの下に敷かれる台紙を固定することを特徴とする請求項１記載のケーキ止め具。
【請求項３】
樹脂製の素材により一体成形されることを特徴とする請求項１または請求項２記載のケーキ止め具。
【発明の詳細な説明】
【技術分野】
【０００１】
本発明は、デコレーションケーキ等のケーキを持ち運ぶ際や陳列する際においてケーキを固定して移動を防止するためのケーキ止め具に関する。
【背景技術】
【０００２】
従来から、デコレーションケーキ等のケーキを持ち運ぶ際に使用するケーキ箱やケーキトレイにおけるケーキの載置面には、ケーキを固定して載置面上でのケーキの移動を防止するため、ケーキの底部に突き刺すための一または複数の突起などを構成する固定手段が設けられる。この固定手段としては、アルミニウム等の金属により構成される止め具を用いてこれをケーキ箱の底板などに固設する構成のもの（例えば、特許文献１及び特許文献２参照。）や、ケーキトレイ自体からケーキを固定するための止め部を突起させて構成するもの（例えば、特許文献３参照。）等がある。
【０００３】
また、ケーキの固定手段としては、図１４に示すように、略円板状の係止部１１１とこの係止部１１１から突設される止め部１１０とを有しビス状に形成される樹脂製のケーキ止め具１０１を用いる構成のものがある。この場合、ケーキＣの下に敷かれるレースペーパー等の台紙１０３の略中央部に設けられる孔部１３３を介して、台紙１０３の下側からケーキ止め具１０１の止め部１１０を挿通させる。そして、この止め部１１０が突出する側を上側として台紙１０３をケーキ箱１０２の底板１０２ａ上に貼り付ける構成となる。また、前述したような金属製の止め具を用いる場合は、ケーキ箱１０２の底板１０２ａ上に台紙１０３を載せた状態で、止め具に形成される爪部を食い込ませること等により、止め具を台紙１０３ごと底板１０２ａに固定することや、予め台紙１０３に止め具を固定したものを底板１０２ａに貼り付けることが行われている。
【特許文献１】実用新案登録第３０８９３３０号公報
【特許文献２】実用新案登録第３０７７４８２号公報
【特許文献３】登録実用新案第３０２０９８４号公報
【発明の開示】
【発明が解決しようとする課題】
【０００４】
しかし、特許文献１に開示されているケーキ止め具は、ケーキ箱の底板の下面に当てて折り畳まれる裾部をシールにより貼り付けることで固定される構成となっているため、ケーキ箱の処分時などにケーキ止め具を取り外す際、シールを剥がした後にケーキ止め具を引っ張って取り外すこととなる。つまり、ケーキ止め具を取り外す際にシールを剥がすという所作が必要となり、これが処分するケーキ箱が多量にある場合には大きな手間となる。また、特許文献２においては、ケーキ箱の底板に打ち付けられるケーキ止め具の周囲を取り囲むようにして底板にミシン目や切り込みを入れ、ケーキ止め具を取り外す際にはケーキ止め具を引っ張ることにより前記ミシン目などから底板ごと取り外すようにした構成が開示されている。しかし、このような構成においては、取り外されるケーキ止め具にケーキ箱の底板の一部が残った状態となるので、ゴミの分別という観点からは改善の余地がある。また、ケーキ箱にミシン目などを設けるための加工が必要となり、ケーキ箱の構成が複雑となる。さらに、これら特許文献１及び特許文献２に示されているケーキ止め具は、アルミニウム等の金属製であるため、特許文献３にも記載されているように安全性の面で問題がある。
【０００５】
そして、特許文献３においては、厚紙で形成される台紙に折線や切断線などを設け、台紙の一部を折り曲げ起立させること等によってケーキの止め部を形成する構成としており、金属製のケーキ止め具を用いることによる安全面での不具合を解消している。しかし、このような構成においては、ケーキの止め部を形成するための台紙の構成が複雑となる。また、ケーキの止め部が紙製となるため、ケーキの表面や内部に施されるカットフルーツから出る果汁などの水分やクリーム等に含まれる油分により、ケーキの移動を防止するための止め部の十分な強度が保持できなくなることも考えられる。
【０００６】
また、図１４に示すような樹脂製のケーキ止め具１０１を用いる構成においては、ケーキ止め具１０１の止め部１１０がケーキ箱１０２の底板１０２ａにおいて上方に突出するため、ケーキ箱１０２の側壁１０２ｂの高さが低い場合や、側壁１０２ｂが組立て式のケーキ箱１０２において側壁１０２ｂを組み立てる前の状態の場合には、ケーキを載置する前やケーキ箱を出荷する際などに、ケーキ止め具１０１をケーキ箱１０２に取り付けた状態で複数重ねることは難しく、複数重ねたとしても嵩張ることとなり、邪魔になる等の不具合が生じる。
【０００７】
そこで、本発明が解決しようとする課題は、ケーキ箱に対する取付け及び取外しが簡単でリサイクルに好適であり、ケーキ箱に取り付けた状態で複数重ねてもケーキ箱が嵩張ることなく、ケーキから出る水分などに対しても十分な固定強度を保持することができ、しかも簡単かつ安価に構成することができるケーキ止め具を提供する点にある。
【課題を解決するための手段】
【０００８】
本発明の解決しようとする課題は以上の如くであり、次にこの課題を解決するための手段を説明する。
【０００９】
即ち、請求項１においては、ケーキ箱の底板に固定され、上方に突起してケーキを固定する止め部を有するケーキ止め具であって、板状の基部と、前記基部から下方に向けて突設される突部と、前記基部から折り曲げ可能に下方に向けて延設されるとともに前記突部に係合可能な挟持板と、前記基部から側方へ突出する係止突部と、前記基部から上方へ折り曲げ可能に側方へ延設されるとともに前記係止突部に係合可能な片部を有する止め板と、を備えるものである。
【００１０】
請求項２においては、請求項１記載のケーキ止め具であって、前記底板に固定されるとともに、該底板にケーキの下に敷かれる台紙を固定するものである。
【００１１】
請求項３においては、請求項１または請求項２記載のケーキ止め具であって、樹脂製の素材により一体成形されるものである。
【発明の効果】
【００１２】
本発明の効果として、以下に示すような効果を奏する。
【００１３】
請求項１においては、挟持板を折り曲げて突部と係合することにより、ケーキ箱に簡単に取り付けることができる。また、止め部を構成しない状態でケーキ箱の底板に固定することにより、上方に突起物が形成されず、ケーキを載置する前やケーキ箱を出荷する際などに、ケーキ止め具を取り付けた状態のケーキ箱を複数重ねることによって嵩張ることを防止することができる。さらに、止め部を摘んで引っ張ることにより、ケーキ箱の底板から容易に取り外すことができる。これにより、紙製のケーキ箱に対して樹脂製のケーキ止め具というような場合など、ケーキ止め具とケーキ箱との分別廃棄に供することができリサイクル性の向上が図れる。
【００１４】
請求項２においては、ケーキ箱の底板上に台紙を固定する手段を別途設けることなく、ケーキがケーキ箱内において台紙ごと移動することを防止することができる。
【００１５】
請求項３においては、簡単かつ安価に構成することができる。そして、樹脂製であることから、従来の金属製のケーキ止め具と比較して鋭利な部分が形成されることがなく、安全性を向上することができる。また、ケーキの食品としての安全性確保のため、異物混入対策として金属探知機を用いる場合に、ケーキ止め具が不要に感知されることがなく作業を円滑に行うことができる。さらに、ケーキの表面や内部に施されるカットフルーツから出る果汁などの水分やクリーム等に含まれる油分によって、ケーキの移動を防止するための強度が低下することを防止することができる。
【発明を実施するための最良の形態】
【００１６】
次に、発明の実施の形態を図面に基づいて説明する。
図１は本発明に係るケーキ止め具を取り付けた状態のケーキ箱を示す斜視図、図２はケーキ止め具を示す正面図、図３は同じく右側面図、図４は同じく左側面図、図５は同じく平面図、図６は同じく斜視図、図７はケーキ止め具の固定状態及び止め部の構成状態を示す右側面図、図８は同じく正面図、図９はケーキ止め具の固定方法を示す斜視図、図１０は同じく底面図、図１１はケーキ止め具の固定状態を示す斜視図、図１２は固定孔の別形態を示す斜視図、図１３はケーキ止め具の固定状態及び止め部の構成状態を示す斜視図、図１４は従来のケーキ止め具を取り付けた状態のケーキ箱を示す斜視図である。
【００１７】
本発明に係るケーキ止め具１は、図１に示すように、ケーキ箱２の底板２ａに一または複数箇所（本実施形態においては底板２ａの略中央部に一箇所）固定されるものであり、底板２ａのケーキの載置面において上方に向けて突起する止め部１０を有する。すなわち、ケーキ止め具１において構成される止め部１０がケーキＣの底部に突き刺されることにより、ケーキＣを固定してケーキ箱２内での移動を防止するものである。また、ケーキ止め具１は、ケーキＣの下に敷かれる装飾が施されたレースペーパー等の台紙３を底板２ａに固定するためにも用いられる。
【００１８】
まず、本発明に係るケーキ止め具１の形状及び構造について、図２〜図６を用いて説明する。ケーキ止め具１は、合成樹脂などの可撓性を有する素材により構成され、板状の基部１１と、この基部１１から下方に向けて突設される突部となる係止ピン１２と、同じく基部１１から折り曲げ可能に下方に向けて延設されるとともに前記係止ピン１２に係合可能な挟持板１３と、同じく基部１１から側方へ突出する係止突部１５と、同じく基部１１から上方へ折り曲げ可能の側方へ延設されるとともに前記係止突部１５に係合可能な片部（第二片部１６ｂ）を有する止め板１６とを備えている。
【００１９】
本実施形態においては、基部１１は略正方形に形成され、この基部１１の略中央部から係止ピン１２が下方に向けて突設される。但し、基部１１は板状であればその形状は略正方形に限定されるものではなく、円形状または多角形状に構成することも可能である。また、基部１１の下面においては、係止ピン１２と適宜間隔を隔てるとともに基部１１の一辺側の位置から略矩形状の挟持板１３が下方に向けて延設されており、その根元部に設けられる折曲げ部１３ｃにより折曲げ可能に形成される。この折曲げ部１３ｃは、挟持板１３における係止ピン１２が設けられる位置と反対側の面に溝部（線状の薄い部分）を形成することにより、挟持板１３が係止ピン１２側へ基部１１と略平行状態となるまで折り曲がることができるように形成される。ここで、前記折曲げ部１３ｃを設ける位置としては、該折曲げ部１３ｃの基部１１からの距離とケーキ箱２の底板２ａの厚さとが同等になる位置が好ましい。また、挟持板１３には、該挟持板１３を折り曲げた状態で係止ピン１２に対応する位置に係止孔１３ｈが穿設されている。つまり、係止ピン１２の下端部には、挟持板１３の係止孔１３ｈと係合するためのくさび形などに形成される係止部１２ｄが形成されており、挟持板１３を折り曲げて係止部１２ｄと係止孔１３ｈとを係合させることにより、挟持板１３が基部１１と略平行状態に保持される構成となっている。但し、挟持板１３を基部１１に係止できる構造であれば本実施形態に限定されるものではなく、例えば、挟持板１３にフックを設け、これを基部１１に形成される突部または孔に係止する構成であったり、挟持板１３に突部を設け、これを基部１１に形成される孔に挿入して係止する構成であったりしてもよい。
【００２０】
また、係止突部１５は、基部１１の一辺側の一部が略長方形状に延設されることにより形成される跨ぎ部１４から突出されて形成される。具体的には、図５に示すように、跨ぎ部１４は、基部１１の一辺側の略半分が水平方向に延設されて形成され、係止突部１５は、跨ぎ部１４の延設方向に対して略直角方向かつ略水平方向に側方に突出されて形成される。つまり、基部１１と跨ぎ部１４と係止突部１５とは、平面視で略鍵形状となるように形成される。
【００２１】
また、止め板１６は、前記係止突部１５の突出方向に対して反対方向に基部１１から延設され基部１１側を底辺とする略二等辺三角形状を有し、その底辺の略中央部から頂点部に向けて設けられるスリット１６ｓにより分岐される第一片部１６ａ及び第二片部１６ｂから構成される。つまり、基部１１に対して折曲げ可能に形成される第一片部１６ａと、係止突部１５に係合可能な第二片部１６ｂとが、前記スリット１６ｓを介して一体的に形成されて略二等辺三角形状を形成する。第一片部１６ａは、基部１１において、係止突部１５の突出方向に対して反対方向の一辺側から延設され、前記二等辺三角形の底辺側において折曲げ部１６ｃを介して基部１１と繋がっており、この折曲げ部１６ｃによって基部１１に対して折り曲げ可能に形成される。折曲げ部１６ｃは、第一片部１６ａの下面に溝部を形成することにより、止め板１６が起立する側（上側）へ折り曲げることができるように形成される。また、第二片部１６ｂは、係止突部１５に係合可能とするため係止突部１５が挿入される孔部１６ｈを有し、前記二等辺三角形の頂点部において第一片部１６ａと繋がっており、その底辺側が跨ぎ部１４の係止突部１５が設けられる側と反対側に位置している。すなわち、止め板１６は、スリット１６ｓにより前記二等辺三角形の頂点部を根元として第一片部１６ａと第二片部１６ｂとで二股に分岐している。そして、第二片部１６ｂは、基部１１と一体的に形成される第一片部１６ａに対して前記頂点部を支点として撓ませることにより止め板１６の板面に対して上下方向に離間できるようになっている。そのため、スリット１６ｓの根元側（止め板１６の頂点部側）は平面視で略円形状に形成されており、第二片部１６ｂの第一片部１６ａに対する離間が行い易くなっている。
【００２２】
次に、ケーキ止め具１においてケーキを固定するための止め部１０を構成する方法について図７、図８及び図１３を用いて説明する。止め部１０は、第一片部１６ａを折り曲げて止め板１６を起立させるとともに第二片部１６ｂを跨ぎ部１４を跨がせて孔部１６ｈに係止突部１５を挿入することにより、止め板１６を起立状態に保持して構成する。すなわち、図７に示すように、前述した基部１１と第一片部１６ａとの間の折曲げ部１６ｃにおいて第一片部１６ａを上側に向けて折り曲げることにより、止め板１６を起立させる。この止め板１６を起立させるとともに、素材の可撓性を利用して第二片部１６ｂを撓ませることにより、第二片部１６ｂに跨ぎ部１４を跨がせ、第二片部１６ｂの下端部を、跨ぎ部１４の係止突部１５が設けられる側に位置される。これにより、第二片部１６ｂの孔部１６ｈを係止突部１５の先端側に位置させる。そして、第二片部１６ｂの背面側（止め板１６の水平状態での下側）から、孔部１６ｈに係止突部１５を挿入して止め板１６の起立状態を保持する。こうして止め板１６は、起立状態でケーキの底面に突き刺し易くなるとともに倒れ難くなり、安定してケーキを保持することができる。
【００２３】
ここで、止め板１６の起立状態の保持を強固なものとするため、係止突部１５には、第二片部１６ｂの孔部１６ｈに対する係合を保持するための係止部１５ｄが形成されている。すなわち、係止突部１５は、その中央部において先端側から根元側にかけて切欠き１５ｓが設けられており、先端部には、先端側にかけて細くなる略くさび形に形成される係止部１５ｄが形成されている。これにより、係止突部１５が第二片部１６ｂの孔部１６ｈに挿入される際、係止突部１５は切欠き１５ｓを介して縮まるように内側に押され、係止部１５ｄが孔部１６ｈの外側に出た状態で第二片部１６ｂが係止突部１５に係合する。このため、第二片部１６ｂにおいて孔部１６ｈが形成される部分は、図示のように止め板１６の他の部分よりも厚く形成され、係止突部１５と孔部１６ｈとの係合の補強が図られている。このようにして、図７及び図８に示すように、側面視及び正面視においてそれぞれ下側を底辺とする略二等辺三角形の止め部１０がケーキ止め具１において構成され、この止め部１０がケーキＣの底部に突き刺されることによりケーキＣが固定される。但し、止め板１６と係止突部１５の係合は、前述のような孔部と突部とによるものに限定されるものではなく、Ｌ字状等の互いに係合可能な切欠同士によるものであってもよい。また、係止突部１５は跨ぎ部１４を設けることなく基部１１より直接側方に突出させて、第二片部１６ｂを上部で更に９０度折り曲げて（または捻って）係合させる構成とすることもできる。この場合、第一片部１６ａと第二片部１６ｂとが直角となり、前後方向及び左右方向の力に対する抵抗力が増し、ケーキのずれを更に防止することができる。
【００２４】
続いて、ケーキ止め具１のケーキ箱２の底板２ａに対する固定方法について説明する。ケーキ止め具１は、底板２ａに設けられる固定孔３０において固定される。つまり、固定孔３０は、底板２ａにおいてケーキ止め具１を設ける位置（本実施形態においては底板２ａの略中央部）に穿設される。固定孔３０は、図９に示すように、ケーキ止め具１の係止ピン１２が挿入される係止ピン用孔部３１と、挟持板１３が挿入される挟持板用孔部３２とを有し、平面視で略Ｔ字状に形成される。この固定孔３０に、係止ピン１２及び挟持板１３を挿通させるとともに挟持板１３を折り曲げて係止ピン１２と係止孔１３ｈとを係合させることにより、ケーキ止め具１が底板２ａに固定される。
【００２５】
具体的には、まず、固定孔３０の係止ピン用孔部３１及び挟持板用孔部３２に、ケーキ止め具１の係止ピン１２及び挟持板１３をそれぞれ挿通させ、基部１１を底板２ａ上に載置した状態にする。この状態から、挟持板１３を折曲げ部１３ｃにより折り曲げて係止ピン１２と係止孔１３ｈとを係合させる。この際、図７、図８及び図１０に示すように、挟持板１３と基部１１の下面との間に、底板２ａの、固定孔３０の係止ピン用孔部３１と挟持板用孔部３２との間の部分及び係止ピン用孔部３１周辺の部分が挟まれることとなり、ケーキ止め具１が底板２ａに固定される。このようにして底板２ａに固定されて取り付けられるケーキ止め具１は、図１１に示すように、上述した止め部１０を構成しない状態、即ち折曲げ部１６ｃにおいて止め板１６を折り曲げずに止め板１６の上面と基部１１の上面とが略同一平面となる状態で底板２ａに固定されることで、上方に突起しないこととなる。そして、この底板２ａに固定された状態から、止め部１０を構成することにより、図１３に示す状態となる。すなわち、この図１３に示す状態が、本発明に係るケーキ止め具１の、ケーキ箱２の底板２ａに固定された状態であり、かつ、止め部１０を構成した状態である。
【００２６】
なお、固定孔３０の形状は、図９に示すものに限定されるものではなく、係止ピン１２及び挟持板１３それぞれが挿通可能な形状が確保されるものであればよい。例えば、図１２に示すように、固定孔３０を、略円形状の係止ピン用孔部３１と略楕円形状または長方形形状の挟持板用孔部３２との二つの孔から構成してもよい。この場合、係止ピン用孔部３１と挟持板用孔部３２との間の部分及び係止ピン用孔部３１の周辺部分が、挟持板１３と基部１１の下面との間に挟まれることとなる。また、このように固定孔３０を二つの孔から構成する場合は、ケーキ止め具１を底板２ａに固定する際の位置決めの容易さという面では、より好ましいと言える。
【００２７】
このように、ケーキ止め具１は、挟持板１３を折り曲げて係止ピン１２と係止孔１３ｈとを係合することにより、ケーキ箱２に簡単に取り付けることができる。また、ケーキ止め具１は、前述した止め部１０を構成しない状態でケーキ箱２の底板２ａに固定することにより、上方に突起物が形成されず、ケーキＣを載置する前やケーキ箱２を出荷する際などに、ケーキ止め具１を取り付けた状態のケーキ箱２を複数重ねることによって嵩張ることを防止することができる。
【００２８】
また、本発明に係るケーキ止め具１は、前述したように、ケーキＣの下に敷かれる装飾が施されたレースペーパー等の台紙３を底板２ａに固定するためにも用いられる。すなわち、ケーキ止め具１は、底板２ａに固定されるとともに台紙３を底板２ａ上に固定することができる。この場合、ケーキ止め具１が底板２ａに固定される際、底板２ａとともに台紙３を挟み込むことにより台紙３を固定する（図７及び図８参照）。具体的には、台紙３の、該台紙３を底板２ａに載せた状態で固定孔３０に対応する位置に孔部３３を設ける（図９及び図１０参照）。孔部３３の形状は、略円形や多角形など特に限定されるものではなく、底板２ａに設けられる固定孔３０における係止ピン１２及び挟持板１３の挿通を確保しつつ、ケーキ止め具１を固定するために挟持板１３を折り曲げて係止ピン１２と係止孔１３ｈとを係合させた状態で、台紙３の一部が挟持板１３と基部１１の下面との間に挟まれるように形成されればよい。すなわち、台紙３の孔部３３は、ケーキ止め具１によって台紙３を固定することができる形状であれは、既存のものを利用することも可能である。ここで、この台紙３の孔部３３の形状を、底板２ａに設けられる固定孔３０と略同一形状とすることにより、底板２ａ上での台紙３の位置決めをより確実なものとすることができる。
【００２９】
このように、ケーキ止め具１を用いて台紙３を固定する構成とすることにより、ケーキ箱２の底板２ａ上に台紙３を固定する手段を別途設けることなく、ケーキＣがケーキ箱２内において台紙３ごと移動することを防止することができる。
【００３０】
以上のようにして、ケーキ止め具１は、ケーキ箱２に固定されて取り付けられ、止め部１０を構成するのであるが、このケーキ止め具１が固定されたケーキ箱２を使用した後、処分する場合などは、止め部１０を持って引っ張ることによりケーキ止め具１をケーキ箱２から取り外すことができる。すなわち、止め部１０を構成する止め板１６の先端部を摘んで、ケーキ止め具１を底板２ａから引っ張ることにより、係止ピン１２と挟持板１３の係止孔１３ｈとの係合が解除され、ケーキ止め具１を取り外すことができる。このため、係止ピン１２の係止部１２ｄと挟持板１３の係止孔１３ｈとは、挟持板１３を折り曲げて係止部１２ｄと係止孔１３ｈとを係合させ、挟持板１３の上面と基部１１の下面との間にケーキ箱２の底板２ａ（及び台紙３）を挟持した状態で、ケーキＣの底板２ａ上における移動を防止するに十分な強度でケーキ止め具１を固定することができ、かつ、ケーキ止め具１を取り外す際は止め板１６を持って引っ張ることにより容易に係合が解除されるように形成される。具体的に本実施形態においては、可撓性を有する樹脂製のケーキ止め具１において、係止部１２ｄは先端側にかけて細くなるくさび形に形成され、これに対応する形状及び大きさを有するように係止孔１３ｈは形成される。なお、係止ピン１２及び係止孔１３ｈは、それぞれ対応する位置に複数設ける構成であってもよい。
【００３１】
このように、ケーキ止め具１は、止め部１０を摘んで引っ張ることにより、ケーキ箱２の底板２ａから容易に取り外すことができる。これにより、紙製のケーキ箱２に対して樹脂製のケーキ止め具１というような場合など、ケーキ止め具１とケーキ箱２との分別廃棄に供することができリサイクル性の向上が図れる。
【００３２】
また、本発明に係るケーキ止め具１は、樹脂製の素材により一体成形することを特徴としている。すなわち、ケーキ止め具１は、型抜きにより構成される合成樹脂製一体成形物としている。これにより、ケーキ止め具１を簡単かつ安価に構成することができる。そして、本発明に係るケーキ止め具１は、樹脂製であることから、従来の金属製のものと比較して鋭利な部分が形成されることがなく、安全性を向上することができる。また、ケーキの食品としての安全性確保のため、異物混入対策として金属探知機を用いる場合に、ケーキ止め具１が不要に感知されることがなく作業を円滑に行うことができる。さらに、ケーキの表面や内部に施されるカットフルーツから出る果汁などの水分やクリーム等に含まれる油分によって、ケーキの移動を防止するための強度が低下することを防止することができる。
【００３３】
なお、以上説明したケーキ止め具１の形状及び構造は、上述した各部の有する機能を発揮することができれば、図示のものに限定されるものではない。
【図面の簡単な説明】
【００３４】
【図１】本発明に係るケーキ止め具を取り付けた状態のケーキ箱を示す斜視図。
【図２】ケーキ止め具を示す正面図。
【図３】同じく右側面図。
【図４】同じく左側面図。
【図５】同じく平面図。
【図６】同じく斜視図。
【図７】ケーキ止め具の固定状態及び止め部の構成状態を示す右側面図。
【図８】同じく正面図。
【図９】ケーキ止め具の固定方法を示す斜視図。
【図１０】同じく底面図。
【図１１】ケーキ止め具の固定状態を示す斜視図。
【図１２】固定孔の別形態を示す斜視図。
【図１３】ケーキ止め具の固定状態及び止め部の構成状態を示す斜視図。
【図１４】従来のケーキ止め具を取り付けた状態のケーキ箱を示す斜視図。
【符号の説明】
【００３５】
１      ケーキ止め具
２      ケーキ箱
２ａ    底板
３      台紙
１１    基部
１２    係止ピン
１３    挟持板
１３ｈ  係止孔
１４    跨ぎ部
１５    係止突部
１６    止め板
１６ａ  第一片部
１６ｂ  第二片部
１６ｈ  孔部
１６ｓ  スリット
【図１】
2006160281.tif 000003
【図２】
2006160281.tif 000004
【図３】
2006160281.tif 000005
【図４】
2006160281.tif 000006
【図５】
2006160281.tif 000007
【図６】
2006160281.tif 000008
【図７】
2006160281.tif 000009
【図８】
2006160281.tif 000010
【図９】
2006160281.tif 000011
【図１０】
2006160281.tif 000012
【図１１】
2006160281.tif 000013
【図１２】
2006160281.tif 000014
【図１３】
2006160281.tif 000015
【図１４】
2006160281.tif 000016